【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】
遊技盤と、遊技球の入賞を検出する入賞検出手段と、前記入賞に対応する遊技球（賞球）を払い出す賞球払出装置と、該賞球払出装置から払い出された賞球を上皿に優先誘導し該上皿が遊技球で満たされた状態になると下皿に誘導する賞球誘導路と、前記入賞検出手段が接続される主制御基板と、前記賞球払出装置を駆動制御する排出制御基板と、を備える弾球遊技機において、
前記入賞検出手段により検出された入賞に係るデータを記憶する賞球データ記憶手段と、
該賞球データ記憶手段に記憶されたデータに基づき前記払出装置を制御する払出制御手段と、
前記賞球データ記憶手段に記憶されたデータを、停電時に消滅しないよう記憶保持する記憶保持手段と、
前記入賞となった遊技球を停滞させることなく機外に排出する入賞球排出路と、
前記賞球誘導路に配されて、該配置位置よりも前記下皿側が遊技球で満たされた満杯状態を検出する満杯検出手段と、
該満杯検出手段によって前記満杯状態が検出されると前記賞球の払出を停止させる賞球停止手段とを備え、
該賞球停止手段により賞球の払い出しが停止された後、前記満杯検出手段によって前記満杯状態が検出されなく払出許可され、且つ、前記賞球データ記憶手段に未払いの賞球データがある場合には、未払いの賞球データが零になるまで前記払出制御手段は賞球の払い出しを実行し、
更に、
前記賞球データ記憶手段、前記払出制御手段及び前記記憶保持手段を前記排出制御基板に備え、
前記主制御基板及び前記排出制御基板に電源を供給する１つの電源基板を備え、
前記１つの電源基板より生成され供給される同一電源（ＤＣ１２Ｖ）の電圧を監視する電圧監視回路（６０、６２）を前記主制御基板及び前記排出制御基板に各々備え、
該電圧監視回路（６０、６２）により前記主制御基板及び前記排出制御基板を各々リセットし、
前記記憶保持手段に用いられるバックアップ電源を前記電源基板が生成し供給する、
ことを特徴とする弾球遊技機。
【請求項２】
請求項１記載の弾球遊技機において、
前記各電圧監視回路（６０、６２）が監視する前記１つの電源基板により生成され供給される同一電源（ＤＣ１２Ｖ）の電圧を監視するバックアップ電圧監視回路（６４）を前記排出制御基板に備え、
前記排出制御基板の電圧監視回路（６２）によりリセットされる前に前記バックアップ電圧監視回路（６４）により前記排出制御基板のＲＡＭへの書き込みを禁止する、
ことを特徴とする弾球遊技機。
【請求項３】
請求項２記載の弾球遊技機において、
前記バックアップ電圧監視回路は、前記電圧監視回路（６０、６２）が監視する前記同一電源（ＤＣ１２Ｖ）の電圧を、該電源（ＤＣ１２Ｖ）の電圧より低い電圧の電源であって前記電源基板により生成され前記ＲＡＭに供給される他の電源（ＤＣ５Ｖ）の電圧を基準として比較することにより、前記排出制御基板がリセットされる前に前記ＲＡＭへのアクセスを禁止する、ことを特徴とする弾球遊技機。
【手続補正２】
【補正対象書類名】明細書
【補正対象項目名】０００８
【補正方法】変更
【補正の内容】
【０００８】
【発明が解決しようとする課題】
しかしながら、満タンスイッチによって賞球と発射を停止する場合でも、セーフ球タンクの容量が小さかったり賞球払出動作が遅くてセーフ球の排出が速やかに行われない場合にはセーフ球タンクが満タンとなって、例えばアタッカーまでもセーフ球がせり上がってきて、閉鎖すべきときに閉鎖できずに、１回の開放中に許される上限個数（例えば１０個）を越えて入賞することがあった。
【手続補正３】
【補正対象書類名】明細書
【補正対象項目名】０００９
【補正方法】変更
【補正の内容】
【０００９】
また、遊技者が下皿からの球抜きを実行しないと頻繁に発射停止、警告報知がなされるので、遊技の興趣を損なっていた。特に、発射停止は不人気であった。
【手続補正４】
【補正対象書類名】明細書
【補正対象項目名】００１０
【補正方法】変更
【補正の内容】
【００１０】
【課題を解決するための手段及び効果】
請求項１に記載の弾球遊技機は、遊技盤と、遊技球の入賞を検出する入賞検出手段と、前記入賞に対応する遊技球（賞球）を払い出す賞球払出装置と、該賞球払出装置から払い出された賞球を上皿に優先誘導し該上皿が遊技球で満たされた状態になると下皿に誘導する賞球誘導路と、前記入賞検出手段が接続される主制御基板と、前記賞球払出装置を駆動制御する排出制御基板と、を備える弾球遊技機において、
前記入賞検出手段により検出された入賞に係るデータを記憶する賞球データ記憶手段と、
該賞球データ記憶手段に記憶されたデータに基づき前記払出装置を制御する払出制御手段と、
前記賞球データ記憶手段に記憶されたデータを、停電時に消滅しないよう記憶保持する記憶保持手段と、
前記入賞となった遊技球を停滞させることなく機外に排出する入賞球排出路と、
前記賞球誘導路に配されて、該配置位置よりも前記下皿側が遊技球で満たされた満杯状態を検出する満杯検出手段と、
該満杯検出手段によって前記満杯状態が検出されると前記賞球の払出を停止させる賞球停止手段とを備え、
該賞球停止手段により賞球の払い出しが停止された後、前記満杯検出手段によって前記満杯状態が検出されなく払出許可され、且つ、前記賞球データ記憶手段に未払いの賞球データがある場合には、未払いの賞球データが零になるまで前記払出制御手段は賞球の払い出しを実行し、
更に、
前記賞球データ記憶手段、前記払出制御手段及び前記記憶保持手段を前記排出制御基板に備え、
前記主制御基板及び前記排出制御基板に電源を供給する１つの電源基板を備え、
前記１つの電源基板より生成され供給される同一電源（ＤＣ１２Ｖ）の電圧を監視する電圧監視回路（６０、６２）を前記主制御基板及び前記排出制御基板に各々備え、
該電圧監視回路（６０、６２）により前記主制御基板及び前記排出制御基板を各々リセットし、
前記記憶保持手段に用いられるバックアップ電源を前記電源基板が生成し供給する、
ことを特徴とする。
【手続補正５】
【補正対象書類名】明細書
【補正対象項目名】００１１
【補正方法】変更
【補正の内容】
【００１１】
賞球停止手段は、満杯検出手段によって満杯状態が検出されると賞球の払出を停止させるので、賞球払出装置から払い出された遊技球が、賞球払出装置から下皿までの経路に過剰に充満することはなく、そのような遊技球がせり上がってきて賞球払出装置が故障するおそれはない。
【手続補正６】
【補正対象書類名】明細書
【補正対象項目名】００１２
【補正方法】変更
【補正の内容】
【００１２】
一方、賞球データ記憶手段にて入賞検出手段により検出された入賞に係るデータを記憶し、払出制御手段にて賞球データ記憶手段に記憶されたデータに基づき払出装置を制御する。また、記憶保持手段が、賞球データ記憶手段に記憶されたデータを停電時に消滅しないよう記憶保持する。よって、入賞した遊技球をいわゆる証拠球として停留させる必要がなく、入賞球排出路により入賞となった遊技球を停滞させることなく機外に排出しても賞球の払出に支障はない。
【手続補正７】
【補正対象書類名】明細書
【補正対象項目名】００１３
【補正方法】変更
【補正の内容】
【００１３】
入賞した遊技球（セーフ球）は入賞球排出路により速やかに機外に排出されるので、セーフ球の排出遅れが原因となってセーフ球が可変入賞装置（例えばアタッカー）内にまでせり上がってきて、これを閉鎖不能にするおそれもない。
下皿が満杯状態になった際には賞球の払出を停止するだけでよく、新たな入賞の発生を防ぐために遊技球の発射を停止する必要はない。従って、下皿満杯が原因となって頻繁に発射停止されることがなくなり、遊技の興趣を損なうことも回避される。
【手続補正８】
【補正対象書類名】明細書
【補正対象項目名】００１４
【補正方法】変更
【補正の内容】
【００１４】
また、この弾球遊技機では、賞球停止手段により賞球の払い出しが停止された後、満杯検出手段によって満杯状態が検出されなく払出許可され、且つ、賞球データ記憶手段に未払いの賞球データがある場合には、未払いの賞球データが零になるまで払出制御手段は賞球の払い出しを実行する。
更に、この弾球遊技機は、入賞検出手段が接続される主制御基板と、賞球払出装置を駆動制御する排出制御基板とを備えており、賞球データ記憶手段、払出制御手段及び記憶保持手段を排出制御基板に備えている。
また、主制御基板及び排出制御基板に電源を供給する１つの電源基板を備え、この１つの電源基板より生成され供給される同一電源（ＤＣ１２Ｖ）の電圧を監視する電圧監視回路（６０、６２）を主制御基板及び排出制御基板に各々備え、電圧監視回路（６０、６２）により主制御基板及び排出制御基板を各々リセットし、記憶保持手段に用いられるバックアップ電源を電源基板が生成し供給する。
入賞検出手段は、遊技球が入賞したことを検出する手段であれば如何なる構成のものでも良く、例えば入賞した遊技球を検知するとポジションが変化するスイッチや同じく信号レベルが変化するセンサ等を採用できる。また、入賞検出手段は、全ての入賞口に個別に各々備える構成としてもよいし、賞球個数の相違に従って賞球個数の同じ入賞口に入賞する遊技球を集合させて検出する構成としてもよい。
【手続補正９】
【補正対象書類名】明細書
【補正対象項目名】００１５
【補正方法】変更
【補正の内容】
【００１５】
賞球データ記憶手段は、入賞検出手段により検出された入賞に係るデータを記憶可能であれば、その構成や形態に制限はない。記憶する内容としては、入賞口に設定されている賞球数（例えば５個賞球、１０個賞球、１５個賞球）に対する払出を何回実行する必要があるか、つまり払出未了分が何個あるかを特定できる内容であればよい。
【手続補正１０】
【補正対象書類名】明細書
【補正対象項目名】００１６
【補正方法】変更
【補正の内容】
【００１６】
記憶保持手段は、賞球データ記憶手段に記憶されたデータを停電時に消滅しないよう記憶保持できればよいので、その構成は賞球データ記憶手段の構成に応じたものとされる。ＲＡＭのように記憶保持に電力を要するものを賞球データ記憶手段として使用するなら、記憶保持手段は停電時に作動するバックアップバッテリが好適である。
【手続補正１１】
【補正対象書類名】明細書
【補正対象項目名】００１７
【補正方法】変更
【補正の内容】
【００１７】
請求項２記載の弾球遊技機は、請求項１記載の弾球遊技機において、前記各電圧監視回路（６０、６２）が監視する前記１つの電源基板により生成され供給される同一電源（ＤＣ１２Ｖ）の電圧を監視するバックアップ電圧監視回路（６４）を前記排出制御基板に備え、 前記排出制御基板の電圧監視回路（６２）によりリセットされる前に前記バックアップ電圧監視回路（６４）により前記排出制御基板のＲＡＭへの書き込みを禁止する、ことを特徴とする。
【手続補正１２】
【補正対象書類名】明細書
【補正対象項目名】００１８
【補正方法】変更
【補正の内容】
【００１８】
請求項３記載の弾球遊技機は、請求項２記載の弾球遊技機において、前記バックアップ電圧監視回路は、前記電圧監視回路（６０、６２）が監視する前記同一電源（ＤＣ１２Ｖ）の電圧を、該電源（ＤＣ１２Ｖ）の電圧より低い電圧の電源であって前記電源基板により生成され前記ＲＡＭに供給される他の電源（ＤＣ５Ｖ）の電圧を基準として比較することにより、前記排出制御基板がリセットされる前に前記ＲＡＭへのアクセスを禁止する、ことを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】